(57)【要約】【課題】合鍵の変換操作時、タンブラーＡ１Ａが揺れ動かないようにする。【解決手段】レバータンブラー錠の各レバータンブラー１を、略Ｃ字形で相互に重合するタンブラーＡ１ＡとタンブラーＢ１Ｂとを組合わせたものとする一方、支軸２をその両端に突設した偏芯軸３の軸線回りを回動できるように支承し、一端に開口した逃げ孔４を支軸に遊嵌可能に係合させたタンブラーＡ１Ａには合鍵５の鍵溝６との係合部７を形成すると共に、これを合鍵と干渉する方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部と重合する部分を合鍵と干渉しないように成形したものにおいて、合鍵の変換操作の為支軸を回動させるとき支軸２と逃げ孔４との干渉を避けるため、逃げ孔４を略勾玉形に成逃げ孔を略勾玉形に成形する。【選択図】  図４
2004285579.tif 000002
【特許請求の範囲】
【請求項１】
レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、タンブラーＡの一端に開口した逃げ孔の形状を、支軸の回動時これと干渉しないように略勾玉形にしたことを特徴とする可変レバータンブラー錠のタンブラー支持機構。
【発明の詳細な説明】
【０００１】
【発明が属する技術分野】
この発明は、可変レバータンブラー錠のタンブラー支持機構（以下単に支持機構という）に係り、特に、本出願人が先に提案した新規な可変レバータンブラー錠の作動を確実にする支持機構に関する。
【０００２】
【従来の技術】
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
本出願人は、先に、上記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造、特にその支持機構を理解する必要があるが、その構造は上記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に係合突起９を、また、タンブラーＢ１Ｂの内側縁部には支軸２を中心とする円弧上にタンブラーＡの係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの係合突起９は係合凹部１１から抜き外される。
【００１５】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１６】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【００１７】
【発明が解決しようとする課題】
上記した構造の可変レバータンブラー錠は、シリンダ部分を交換すること無く、所定の変換操作によって一の合鍵を使えなくし、他の鍵を合鍵に切替えることができるが、そのタンブラー支持機構の構造によってはその切替えが円滑に遂行できない場合がある。この発明は、可変レバータンブラー錠の合鍵の切替えを確実にできる支持機構を提案するものである。
【００１８】
すなわち、上記した合鍵の切替えは、支軸２を偏芯軸３の軸線ｃの回りで回動させるときタンブラーＢ１Ｂのみが支軸２と共に図１で下降し、タンブラーＡ１Ａは図１に示す位置を保つ、ということを前提にしている。
【００１９】
しかしながら、図１に示すように逃げ孔４の形状が縦長の長円形である場合、支軸２の回動時、支軸２は偏芯軸３の軸線ｃを中心として円弧運動をするのであるから、支軸２は必ず逃げ孔４の開口端縁と干渉し、タンブラーＢ１Ｂの自由端部、すなわち、係合凹部１１、１１を形成した円弧部分を図１で左右に揺り動かす。
【００２０】
すると、新しい合鍵を鍵孔に挿入して支軸２を元の角度位置に戻すとき、係合突起９が間違った係合凹部１１に入り込むことがあり、この場合、正しい合鍵の切替えが行われないことは言うまでもない。
【００２１】
この発明は、上記した不都合を解消し、可変タンブラー錠の作動を円滑にし、合鍵の切替えを確実に行うことができる支持機構を提供することを目的としている。
【００２２】
【課題を解決するための手段】
上記の目的を達成するため、この発明は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、タンブラーＡの一端に開口した逃げ孔の形状を、支軸の回動時これと干渉しないように略勾玉形にしたことを特徴とする。
【００２３】
【実施例】
以下、この発明の一実施例を図４及び図５を参照して説明する。
図４において符号４はタンブラーＡ１Ａの一端に開口した逃げ孔を示し、この発明においては、この逃げ孔の形状は略勾玉（まがたま）形になっている。
【００２４】
更に詳細に説明すると、図１から明らかなように、タンブラーＡ１ＡとタンブラーＢ１Ｂの支軸２回りの相対角度位置が一定の場合には、上記略勾玉形の逃げ孔の形状を偏芯軸３の回転中心を中心とする支軸２の横断面の移動軌跡と定義することができる。
【００２５】
しかしながら、タンブラーＡ１Ａの係合突起９がタンブラーＢ１Ｂのどの係合凹部１１と係合するかは、各タンブラーに対応する合鍵の鍵溝６の深さにより異なる。
【００２６】
換言すれば、タンブラーＡ１ＡとタンブラーＢ１Ｂの支軸２回りの相対角度位置が対応する合鍵の鍵溝６の深さによって異なる。
【００２７】
したがって、係合突起９が図１における一番右の係合凹部１１に係合した状態において、逃げ孔４の形状を上記したように偏芯軸３の回転中心を中心とする支軸２の横断面の移動軌跡と定めると、係合突起９が一番左の係合凹部１１と係合した場合、支軸２の合鍵切替えの為の回動の初期において逃げ孔４の開口端縁と干渉することになる。
【００２８】
そして、図示の実施例の場合合鍵の鍵溝の深さの種類は３種類、すなわち、係合突起９と係合凹部１１の係合の態様は３種類であるから、これら３種類の係合の態様に対応して、偏芯軸３の回転中心を中心とする支軸２の横断面の３種類の移動軌跡をタンブラーＡ１Ａの一端に重合し、これら３種類の移動軌跡に外接する閉曲線を考えると、この閉曲線が求める逃げ孔の形状である。
【００２９】
しかしながら、発明者らが実際に上記閉曲線を作図したところ、この形状は略勾玉形になるが、このような逃げ孔を有するタンブラーを工業的に製造することは困難である。
【００３０】
そこで、図示の実施例では、次に述べるようにして理想的な形状に近似した逃げ孔の形状を設定した。
【００３１】
すなわち、図５に示すように、タンブラーＡ１Ａの一端において、支軸２と同径で、常態における支軸２の中心軸線Ｏ１を中心とする第１の円Ｃ１を設定し、次いで、この第１の円Ｃ１と同径で、上記した支軸２の３種類の移動軌跡による閉曲線の下方部分に外接し或いは僅かな間隙を介してこれを包囲する第２の円Ｃ２を設定する。
【００３２】
これらの円Ｃ１、Ｃ２の交点は２個所にできるが、その左方の交点Ｏ３を中心とし、二つの円Ｃ１、Ｃ２に外接する円で二つの円の交点付近の谷間部をなだらかに接続し、図５に示すような略勾玉形の逃げ孔４を得る。
【００３３】
上記のように設定された逃げ孔４は、上方の部分の支軸２の中心軸線を見込む角度は１８０度以上であるから、タンブラーＡ１Ａは常態においては支軸から外れることなく安定にこれに支持、案内され、また、合鍵の切替え中、すなわち、支軸２が偏芯軸３の回りを回動するとき、支軸２はタンブラーＡ１Ａの逃げ孔４の開口端縁と干渉しない。
【００３４】
したがって、前記した可変タンブラー錠の合鍵切替え操作時、タンブラーＡ１Ａは図１或いは図４の位置を動かず、タンブラーＢ１Ｂのみが支軸の回動に従動して下降するので、係合突起９及び係合凹部１１の切り離し及び再係合が正確に行われる。
【００３５】
【発明の効果】
以上の説明から明らかなように、この発明は、支軸と遊嵌するタンブラーＡの逃げ孔を略勾玉形に成逃げ孔を略勾玉形に成形形したので、合鍵切替え操作時、支軸が偏芯軸の回りを回動しても支軸が逃げ孔の開口端縁と干渉せず、したがってタンブラーＡは支軸と共に移動するタンブラーＢから独立して動かず、合鍵切替え操作のためのタンブラーＡ、Ｂの切り離しを確実に行うことができる、という効果を奏する。
【図面の簡単な説明】
【図１】従来の可変タンブラー錠の支持機構の一例を示す拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】この発明の一実施例による可変タンブラー錠の支持機構の一例を示す拡大横断面図。
【図５】タンブラーＡの一端部の拡大部分正面図。
【符号の説明】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１１  係合凹部
１２  ロッキングバー
１３  変換ピン
１４  スイッチ部材
１５  スペーサリング
【図１】
2004285579.tif 000003
【図２】
2004285579.tif 000004
【図３】
2004285579.tif 000005
【図４】
2004285579.tif 000006
【図５】
2004285579.tif 000007